(57)【要約】【課題】薄手の両面印刷画像を読み取ったときでも、裏写りせず、画像にスジの発生しない高品質の画像読取装置を提供すること。【解決手段】筒状の透明プラテンローラ４及び円筒状背景板２５は、軸３２に軸受３３を介して支持されている。筒状の透明プラテンローラ４は、蓋３４により内部に円筒状背景板２５をゴミ・塵等が付着しないように密閉されている。また、円筒状背景板２５は軸３２に固定され、同様に軸３２に固定されたギア２９を介してモータ３１により回転駆動されるようになっている。片面原稿を読み取る場合は、原稿読み取り位置と対向する円筒状背景板２５を白色部に、両面原稿の場合は、原稿読取り位置と対向する円筒状背景板２５を黒色部に、選択可能に保持することで、片面原稿においては、コントラストを低下させることなく、両面原稿においては、裏写りをしない読み取りを行うことができる。【選択図】        図３
2004320331.tif 000002
【特許請求の範囲】
【請求項１】
原稿を原稿読み取り位置である原稿ガラス上に搬送する原稿搬送手段と、
この原稿ガラスに対向する位置に原稿を読み取る際の背景となる背景板とを備えた画像読取装置において、
原稿を原稿ガラスに押えるための筒状の透明プラテンローラと、
前記背景板の色を検知する検知センサと、を備え、
前記背景板が前記筒状の透明プラテンローラの内部の空間に円筒状背景板として配置されていることを特徴とする画像読取装置。
【請求項２】
前記円筒状背景板は外周面に白色部と黒色部とが形成され、回転可能に支持されていることを特徴とする請求項１記載の画像読取装置。
【請求項３】
前記円筒状背景板は、前記検知センサにより白色部と黒色部の境界を検知し、シェーディング補正時には白色部が回転しながらシェーディング補正のための白基準として白色部の読み取りを行うことを特徴とする請求項１または請求項２記載の画像読取装置。
【請求項４】
前記円筒状背景板は原稿読み取り時には選択可能に白色部と黒色部とを原稿読み取り位置に位置させることを特徴とする請求項１、請求項２または請求項３記載の画像読取装置。
【請求項５】
前記円筒状背景板は、前記筒状の透明プラテンローラと蓋により密閉された状態にて回転可能に支持されていることを特徴とする請求項１、請求項２、請求項３または請求項４記載の画像読取装置。
【発明の詳細な説明】
【０００１】
【発明の属する技術分野】
本発明は、シート原稿上の画像を読み取る機能を備えた、ファクシミリ・複写機・スキャナ等の画像読取装置に関する。
【０００２】
【従来の技術】
従来から、資源の有効活用・情報の圧縮を目的として、複写機やプリンタ等の出力に、両面印字が広く行われている。
ところで、この両面印字を行った原稿を、イメージスキャナ、複写機、ファクシミリ等の画像読取装置により読み取ると、特に比較的薄手な用紙に記録された両面原稿の場合、裏面の画像が透けて表面読み取り画像に写り込んでしまうことがる。これは、「裏写り」と称される問題であり、従来よりこの対策として種々の技術が提案されている。
【特許文献１】
特開平９−２４７３７８号
【特許文献２】
特開２０００−５９５６９
【０００３】
【発明が解決しようとする課題】
特許文献１および特許文献２では、反射率の高い白色背景部と、反射率の低い黒色背景部とをもち、両面に画像を有する原稿を読み取る場合には、原稿の読み取り位置を移動することか、または背景面を回転またはスライドさせることで反射率の低い黒色背景部を読み取り位置として、裏面の画像が透けるのを防止している。
しかしながら、これらの従来技術においては、背景板が原稿と接する状態で配置されているために、両面原稿ではその背景板に原稿の汚れが付着してしまい、背景板が汚れることがある。そのために、画像にスジが発生してしまい、画像劣化の原因となっていた。特に、シェーディング補正用の白色部に汚れが付着した場合は、スジの発生が顕著であった。
そこで、本発明の目的は、薄手の両面印刷画像を読み取ったときでも、裏写りせず、画像にスジの発生しない高品質の画像読取装置を提供することである。
【０００４】
【課題を解決するための手段】
請求項１記載の発明では、原稿を原稿読み取り位置である原稿ガラス上に搬送する原稿搬送手段と、この原稿ガラスに対向する位置に原稿を読み取る際の背景となる背景板とを備えた画像読取装置において、原稿を原稿ガラスに押えるための筒状の透明プラテンローラと、前記背景板の色を検知する検知センサと、を備え、前記背景板が前記筒状の透明プラテンローラの内部の空間に円筒状背景板として配置されていることにより、前記目的を達成する。
請求項２記載の発明では、請求項１記載の発明において、前記円筒状背景板は外周面に白色部と黒色部とが形成され、回転可能に支持されていることを特徴とする。
【０００５】
請求項３記載の発明では、請求項１または請求項２記載の発明において、前記円筒状背景板は、前記検知センサにより白色部と黒色部の境界を検知し、シェーディング補正時には白色部が回転しながらシェーディング補正のための白基準として白色部の読み取りを行うことを特徴とする。
請求項４記載の発明では、請求項１、請求項２または請求項３記載の発明において、前記円筒状背景板は原稿読み取り時には選択可能に白色部と黒色部とを原稿読み取り位置に位置させることを特徴とする。
請求項５記載の発明では、請求項１、請求項２、請求項３または請求項４記載の発明において、前記円筒状背景板は、前記筒状の透明プラテンローラと蓋により密閉された状態にて回転可能に支持されていることを特徴とする。
【０００６】
【発明の実施の形態】
以下、本発明の好適な実施の形態について、図１から図３を参照して詳細に説明する。
図１は本発明の実施例に係る画像読取装置の全体の構成を示した図であり、図２は、その詳細を示した図である。
まず、この画像読取装置の動作について説明する。原稿トレイ２１に搭載された原稿１は、呼び出しコロ２２にて呼び出され、分離部２３にて分離された最も上部に位置している原稿１のみが搬送ローラ２に搬送される。
そして、原稿１は、図２に示すように、搬送ローラ２により、ガイド１１Ａ及びガイド１２に案内され、ＡＤＦ（自動原稿搬送装置）読取ガラス３上に送られる。その後、所定の原稿読み取り位置にて、照明ランプ６により照射された原稿１の反射光が、第１ミラー８、第２ミラー１６、第３ミラー１７にて反射され、レンズ１８を介して、画像読取基板２０に設けられているＣＣＤ（光電変換素子）１９に送られる。ここで、ＣＣＤ１９により原稿１の情報が読み取られる。
【０００７】
ＡＤＦ読取ガラス３と対向する位置には、ＡＤＦ読取ガラス３と所定の隙間Ａ（通常０．５ｍｍ程度）をもって、筒状の透明プラテンローラ４が設置されている。この筒状の透明プラテンローラ４は、原稿１がばたつくことを規制している。
一方、対向反射板７は、原稿面の照度を上げるために設けられており、第１走行体９は、照明ランプ６、対向反射板７、第１ミラー８を搭載している。また、第２走行体１５は、第２ミラー１６、第３ミラー１７を搭載している。
ＣＣＤ１９により、原稿１の情報が読み取られた後、原稿１はガイド１１Ｂに案内されて排紙ローラ５によって排紙トレイ２４に排紙される。
円筒状背景板２５は、筒状の透明プラテンローラ４の内部に設けられており、回転可能に支持されている。そして、センサ２６により白色部と黒色部の境界が検知され、原稿読み取り時には、選択的に原稿読み取り位置に白色部または黒色が保持される。
【０００８】
また、シェーディング補正時には、円筒状背景板２５が回転しながら白色部の読み取りを行うが、センサ２６により白色部と黒色部の境界が検知され、回転している円筒状背景板２５の白色部のみにてシェーディングが行われるように制御される。
なお、円筒状背景板２５は、筒状の透明プラテンローラ４の内部に設けられているため、原稿の汚れ等が円筒状背景板２５に付着することを防止できる。
【０００９】
図３は、筒状の透明プラテンローラ４及び円筒状背景板２５の詳細を示した図である。
筒状の透明プラテンローラ４及び円筒状背景板２５は、軸３２に軸受３３を介して支持されている。筒状の透明プラテンローラ４は、蓋３４により内部に円筒状背景板２５をゴミ・塵等が付着しないように密閉されている。
蓋３４にはギア部が一体で設けられていて、モータ２８によりギア２７を介して回転駆動されるようになっている。
また、円筒状背景板２５は軸３２に固定され、同様に軸３２に固定されたギア２９を介してモータ３１により回転駆動されるようになっている。
この実施例において、この筒状の透明プラテンローラ４の径をより小さくしても、その内部に円筒状背景板２５が配置可能であり、機器の小型化を実現することができる。
【００１０】
また、シェーディング補正時には数ライン分の白色読み取りデータを基準として補正をかけるが、読み取りライン上の白色部にムラがあった場合は、画像にそのムラの影響が現れてしまう。そのようなムラの影響を避けるために、通常は白色背景板を移動しながら数ヶ所〜数十ヶ所の部分の平均のデータにより補正を行っているが、固定された背景板ではそれができない。従って、白色部が回転しながらシェーディング補正を行うことにより、白色背景板の濃度ムラの影響を受けない高品質の画像読み取りを行うことができる。
さらに、この実施例おいて、片面原稿を読み取る場合は、原稿読み取り位置と対向する円筒状背景板２５を白色部に、両面原稿の場合は、原稿読み取り位置と対向する円筒状背景板２５を黒色部に、選択可能に保持することで、片面原稿においては、コントラストを低下させることなく、両面原稿においては、裏写りをしない読み取りを行うことができる。
【００１１】
【発明の効果】
請求項１記載の発明では、筒状の透明プラテンローラの内部に背景板を設けていることにより、原稿の汚れ等が背景板につくことがなく、読み取り画像にスジの発生がない高品質の画像読み取りを行うことができる。
請求項２記載の発明では、筒状の透明プラテンローラの径をより小さくしても、その内部に背景板が配置可能であり、機器の小型化を実現できる。
【００１２】
請求項３記載の発明では、白色部が回転しながらシェーディング補正を行うことにより、白色背景板の濃度ムラの影響を受けない高品質の画像読み取りを行うことができる。
請求項４記載の発明では、片面原稿の場合は、原稿読み取り位置と対向する円筒状背景板を白色部に、両面原稿の場合は、原稿読み取り位置と対向する背景板を黒色部に、選択可能に保持できるため、片面原稿においては、コントラストを低下させることなく、両面原稿においては、裏写りをしない読み取りを行うことができる。
【００１３】
請求項５記載の発明では、円筒状背景板の表面に、紙粉・塵・埃がつかないよう密閉することにより、その紙粉等の影響による読み取り画像のスジの発生がない高品質の読み取りを行うことができる。
【図面の簡単な説明】
【図１】本発明の画像読取装置の全体構造を示した図である。
【図２】画像読取装置の詳細を示した図である。
【図３】筒状の透明プラテンローラ及び円筒状背景板の詳細を示した図である。
【符号の説明】
１  原稿
２  搬送ローラ
３  ＡＤＦ読取ガラス
４  筒状の透明プラテンローラ
５  排紙ローラ
６  照明ランプ
７  対向反射板
８  第１ミラー
９  第１走行体
１１Ａ  ガイド
１１Ｂ  ガイド
１２  ガイド
１５  第２走行体
１６  第２ミラー
１７  第３ミラー
１８  レンズ
１９  ＣＣＤ
２０  画像読取基板
２１  原稿トレイ
２２  呼び出しコロ
２３  分離部
２４  排紙トレイ
２５  円筒状背景板
２６  センサ
２７  ギア
２８  モータ
２９  ギア
３１  モータ
３２  軸
３３  軸受
３４  蓋
【図１】
2004320331.tif 000003
【図２】
2004320331.tif 000004
【図３】
2004320331.tif 000005